(57)【特許請求の範囲】
【請求項１】
ダクトの外周に整合するように形成された一対の帯状支持片を、一端の回動部において回動可能に連結し、他端の結合部において互いに結合するようにしたダクト支持用リングにおいて、一の帯状支持片の前記回動部と前記結合部との中間域に、建造物壁面への取付部材が差込、固定可能な溝部を設けてなり、
前記一の帯状支持片は、一端が前記回動部に連らなる帯状支持片と、一端が前記結合部に連らなる帯状支持片とにより構成され、これら各帯状支持片の他端に、立上がり部を形成して該立上がり部を対面させて結合するとともに、該立上がり部に連なるとともに離間して対向する面部を形成し、この対向する面部によって溝部を形成し、
前記対向する面部に透孔を形成し、該透孔を挿通するボルトを用いて前記取付部材を固定するようにしたダクト支持用リング。
【請求項２】
前記一対の帯状支持片は、ダクトの外周を略等分した形状であり、かつ前記溝部は、前記一の帯状支持片の略中央に位置してなる請求項１記載のダクト支持用リング。
【請求項３】
前記帯状支持片の結合部は、折曲端部において互いに結合され、該折曲端部において、該折曲端部に形成された透孔を挿通するボルトを用いて結合され、かつ前記透孔を挿通したボルトには、該ボルトのネジ山外径より小さい孔を形成した合成樹脂製弾性体を該孔にて取り付けてなる請求項１又は２記載のダクト支持用リング。
【請求項４】
前記帯状支持片の一方の折曲端部には、他方の折曲端部に形成された透孔を挿通したボルトと螺合するボルト受け部が固定されてなる請求項３記載のダクト支持用リング。
【請求項５】
前記取付部材は、当接する対面部を有し、この対面部が前記溝部への差込部位となるとともに対面部には前記ボルトが挿通する透孔が形成され、
対面部は取付けられるべき建造物の壁面側に向かって離間して枠部を形成しており、該枠部の上面には透孔が形成され、枠部によって形成される内部空間には、フランジ部を有するナットがその頭部のみ枠部上面に形成された透孔から突出して収められ、前記フランジ部によって前記ナットの外方への離脱が防がれ、
前記枠部の側面を一部内方に折り曲げたツメ部によって、前記ナットの内方への離脱が防がれるようになっている、請求項１，２，３又は４記載のダクト支持用リング。
【発明の詳細な説明】
【０００１】
【発明の属する技術分野】
本発明は、ダクト支持用リング、詳しくは、空調ダクトその他のダクトを建造物の壁、天井等の壁面に、吊り下げその他の手段により支持、固定するためのリングに関する。
【０００２】
【従来の技術】
従来、空調設備その他のダクトを施工する際、ダクトを建造物の壁、天井等の壁面に、吊り下げその他の手段により支持、固定するため、ダクト支持用リングが用いられている。
【０００３】
従来のダクト支持用リングは、図５に示すような構造を有している。すなわち、このダクト支持用リング１は、ダクトの外周に整合するように形成された、一対の２個の半円状の帯状支持片１１，２１を有し、該帯状支持片１１，２１は、一方の端部において回動部３１を有し、他方の端部には、透孔が形成された折曲端部１７，２７を有している。さらに、これら帯状支持片１１，２１とは別の部材である、建造物壁面へ取り付けるための取付け部材７１が使用される。
【０００４】
取付け部材７１は、帯状支持片１１，２１の折曲端部１７，２７間に挟まれ、かつ透孔に挿通されるボルト７３，ナット７５により、帯状支持片１１，２１と連結、固定される。取付け部材７１は、取付け用のボルト７７によって、建造物壁面へ取り付けられる。また、ダクトは、帯状支持片１１，２１によって包囲され、取付け部材７１と帯状支持片１１，２１との連結を兼ねるボルト７３，ナット７５を螺着して、これによりダクトが支持、固定される。
【０００５】
【発明が解決しようとする課題】
上記のように、従来のダクト支持用リング１は、ダクトが支持される帯状支持片１１，２１と建造物壁面へ取り付けるための取付け部材７１との連結をボルト７３，ナット７５を用いて行なう。同時に、ダクトを、帯状支持片１１，２１によって包囲し、取付け部材７１と帯状支持片１１，２１との連結を兼ねるボルト７３，ナット７５の螺着により支持、固定する。
【０００６】
したがって、ダクトの施工に当り、帯状支持片１１，２１と取付け部材７１とを連結すること、及び、ダクトを帯状支持片１１，２１へ支持、固定すること、の２種の作業をボルト７３，ナット７５を用いて同時に行なうため、両方の注意を強いられ、ともすれば、誤って帯状支持片１１，２１を取付け部材７１から脱落させてしまったり、あるいは、ダクトの帯状支持片１１，２１への支持、固定がしにくいというような問題があった。
【０００７】
本発明は、上記のような不都合が生じることがなく、確実かつ容易にダクトの施工をなし得るダクト支持用リングを提供することを目的とするものである。
【０００８】
【課題を解決するための手段】
（１）  ダクトの外周に整合するように形成された一対の帯状支持片を、一端の回動部において回動可能に連結し、他端の結合部において互いに結合するようにしたダクト支持用リングにおいて、一の帯状支持片の前記回動部と前記結合部との中間域に、建造物壁面への取付部材が差込、固定可能な溝部を設けてなり、
前記一の帯状支持片は、一端が前記回動部に連らなる帯状支持片と、一端が前記結合部に連らなる帯状支持片とにより構成され、これら各帯状支持片の他端に、立上がり部を形成して該立上がり部を対面させて結合するとともに、該立上がり部に連なるとともに離間して対向する面部を形成し、この対向する面部によって溝部を形成し、
前記対向する面部に透孔を形成し、該透孔を挿通するボルトを用いて前記取付部材を固定するようにした。
【０００９】
〔作用〕上記構成により、取付部材は、一の帯状支持片の回動部と結合部との中間域に設けた溝部に差込、固定され、また、ダクトは、一対の帯状支持片を他端の結合部において互いに結合することにより、支持、固定されるので、同時に２種の作業を強いられることがなく、確実かつ容易にダクトの施工が行なわれる。しかも、取付部材を溝部に差込、固定するため、作業がし易い。
【００１０】
（２）  本発明においては、前記一対の帯状支持片は、ダクトの外周を略等分した形状であり、かつ前記溝部は、前記一の帯状支持片の略中央に位置してなるものであるのが好ましい。
【００１１】
（３）  本発明においては、前記帯状支持片の結合部は、折曲端部において互いに結合され、該折曲端部において、該折曲端部に形成された透孔を挿通するボルトを用いて結合され、かつ前記透孔を挿通したボルトには、該ボルトのネジ山外径より小さい孔を形成した合成樹脂製弾性体を該孔にて取り付けてなるものであるのが好ましい。
【００１２】
（４）  本発明においては、前記帯状支持片の一方の折曲端部には、他方の折曲端部に形成された透孔を挿通したボルトと螺合するボルト受け部が固定されてなるものであるのが好ましい。
【００１３】
（５）  本発明においては、前記取付部材は、当接する対面部を有し、この対面部が前記溝部への差込部位となるとともに対面部には前記ボルトが挿通する透孔が形成され、
対面部は取付けられるべき建造物の壁面側に向かって離間して枠部を形成しており、該枠部の上面には透孔が形成され、枠部によって形成される内部空間には、フランジ部を有するナットがその頭部のみ枠部上面に形成された透孔から突出して収められ、前記フランジ部によって前記ナットの外方への離脱が防がれ、
前記枠部の側面を一部内方に折り曲げたツメ部によって、前記ナットの内方への離脱が防がれるようになっているものであるのが好ましい。
【００１４】
【発明の実施の形態】
以下、本発明の実施の形態を図面に基いて説明するが、本発明は以下の実施の形態に限定されるものではなく、本発明の要旨の範囲で適宜変更して実施できるものである。
【００１５】
図１は本発明の実施の形態の一例であるダクト支持用リング１を示すもので、（ａ）は正面図、（ｂ）は右側面図、図２は帯状支持片１１，２１の回動部３１を例示する斜視図である。
【００１６】
ダクト支持用リング１は、ダクトの外周に整合するように形成された一対の帯状支持片１１（１１ａ及び１１ｂ），２１を有する。本例では、円筒形のダクトの外周に合うように形成された、略半円状の帯状支持片１１，２１を組み合わせることにより、ダクトの外周を包囲するように構成されている。
【００１７】
すなわち、帯状支持片１１，２１はダクトの外周を略等分した形状であり、略半円状の帯状支持片１１，２１によって形成される円内にダクトが収まり取り付けられる。帯状支持片１１，２１は、通常、金属その他の剛性ある材質で構成され、また、図示していないが、帯状支持片１１，２１には、長手方向等に補強用のリブを形成するとよい。本発明は円筒形のダクトのみならず、角筒形等のダクトにも適用し得る。
【００１８】
帯状支持片１１，２１は、一方の端部（図１（ａ）左端）の回動部３１において回動可能に連結される。すなわち、帯状支持片１１，２１は、一方の端部の回動部３１を回動の支点として、他方の端部（結合部４１）同士が離れ又は近づくように開閉する。このように、開閉が行なわれるのは、ダクトの取付け作業をし易くするために他ならない。
【００１９】
回動部３１の構成は、特に限定されるものではない。図１に示すような回動軸３３を用いる手段の他、帯状支持片１１，２１を互いに分割可能にするよう、例えば、図２に示すようなフック式のものとすることもできる。図２のものは、帯状支持片１１（１１ａ）の一方の端部には、先端部１２からやや距離をおいてその両側に切欠部１３，１４が形成され、その間の中央に挿入部１５が形成されている。一方、帯状支持片２１の一方の端部には、先端部２２からやや距離をおいて、先端部２２と平行にかつ前記挿入部１５より僅かに大きい幅をもって透孔２３が形成されており、この透孔２３は先端部と反対側へ向かって窄まるようにして延びる略Ｔ字の形状をなしている。
【００２０】
帯状支持片１１の一方の端部の先端部１２は、帯状支持片２１の一方の端部に形成された透孔２３に対して所定の角度から挿入され、挿入後、両帯状支持片１１，２１は互いに長手方向において一直線となるように係合される。このようにして構成されるフック式の回動部３１を支点として帯状支持片１１，２１は回動し、帯状支持片１１，２１の他方の端部同士が、離れ又は近づく（図２の矢印）ように開閉する。
【００２１】
また、帯状支持片１１，２１の他方の端部には、帯状支持片１１，２１が互いに結合される結合部４１が設けられる。結合部４１は、帯状支持片１１，２１を開いた状態でダクトを帯状支持片１１，２１に収め取り付けた後、帯状支持片１１，２１の他方の端部を閉じて固定するためのものである。
【００２２】
結合部４１は、例えば、帯状支持片１１，２１の他方の端部を外側にほぼ９０°屈曲して折曲端部１７，２７を設け、この折曲端部１７，２７を帯状支持片１１，２１の結合部位とする。そして、例えば、この折曲端部１７，２７に穿設した透孔にボルト４３を挿通して、ナット４５で固定することにより、帯状支持片１１，２１の他方の端部同士が結合、固定される。もっとも、結合部４１の構成は、上記のボルト４３・ナット４５を用いたものに限定されるものではなく、他の適宜の連結、固定手段を採用し得るのは勿論である。
【００２３】
折曲端部１７，２７に穿設した透孔にボルト４３を挿通して、ナット４５で固定する場合、帯状支持片の一方の折曲端部１７には、他方の折曲端部２７に形成された透孔を挿通したボルト４３と螺合するボルト受け部を設ける（好ましくはナット４５を折曲端部１７に溶接等の適宜手段により固定しておく）のが好ましい。これにより、ボルト４３と螺合されるナット４５の紛失を防止することができる。
【００２４】
また、折曲端部２７に形成された透孔を挿通したボルト４３には、該ボルト４３のネジ山外径より小さい孔を形成した合成樹脂製弾性体４７を該孔にて取り付けておくのが好ましい。このようにしておくことにより、ボルト４３が仮止め状態となり、施工時及び施工時に至る流通過程において、ボルト４３の脱落・紛失を防することができる。また、結合時にワッシャーとしても機能し得る。合成樹脂製弾性体４７としては、ポリエチレン、スチロール樹脂その他の合成樹脂の発泡体が好ましく用いられる。
【００２５】
本発明においては、一の帯状支持片１１の回動部３１と結合部４１との中間域に、建造物壁面への取付部材７１が差込、固定可能な溝部５１を設けた点が重要である。
【００２６】
溝部５１の帯状支持片１１に対する位置関係は、特に限定されるものではないが、溝部５１は、例えば、図示のとおり、帯状支持片１１の略中央に位置してなるものとすることができる。取付部材７１を固定すべき溝部５１と結合部４１とは、ダクトの中心を軸心として９０°回転した位置関係となる。この構成によると、図示のように天井から縦に吊り下げる場合のみならず、建造物の側壁に対して取付部材７１を横方向に取り付ける場合にも作業がし易い。
【００２７】
また、溝部５１は、帯状支持片１１に対して起立した、対向する面部５２，５３によって形成されたものであるのが好ましい。図示の例では、対向する面部５２，５３は、次のようにして、構成されている。すなわち、溝部５１を設けるべき帯状支持片１１を、一端が回動部３１に連らなる帯状支持片１１ａと、一端が結合部４１に連らなる帯状支持片１１ｂとにより構成し、両帯状支持片１１ａ，１１ｂの他端に立上がり部５４，５５を形成する。帯状支持片１１ａ，１１ｂ同士をその他端の立上がり部５４，５５にて対面させて結合する。この結合は、例えば、図示の如くボルト５６・ナット５７を用いたり、あるいはリベット、溶接等の適宜手段により行なう。立上がり部５４，５５は、対面して結合した後、離間して対向する面部５２，５３を形成する。この対向する面部５２，５３によって溝部５１が形成される。
【００２８】
上記の例は、２つの帯状支持片１１ａ，１１ｂの各端部を屈曲させて立上がり部５４，５５を形成し、対向する面部５２，５３を形成したものであるが、２つの帯状支持片１１ａ，１１ｂを用いずに、対向する面部５２，５３及び溝部５１を有する別部材を１の帯状支持片１１に対して固着することにより設けてもよい。
【００２９】
取付部材７１の溝部５１への固定は、対向する面部５２，５３に透孔を形成し、該透孔を挿通するボルト７３を用いて固定するのが好ましい。対向する面部５２，５３の距離は、取付部材７１の差込部位の厚さより僅かに広く形成される。ボルト７３、ナット７５の締結により、取付部材７１が固定される。また、対向する面部５２，５３に応力が働き、ワッシャーの作用を奏するので、確実に固定される。
【００３０】
取付部材７１は、溝部５１に差込、固定可能な差込部位を有するものであれば、その構造、形状は特に限定されるものではない。図示の例では、取付部材７１は、当接する対面部７６，７７を有し、この対面部７６，７７にボルト７３が挿通する透孔が形成されている。対面部７６，７７は取付けられるべき建造物６１の壁面側に向かって離間して枠部７８を形成しており、この枠部７８によって形成される内部空間にナット７９が収められている。ナット７９はフランジ部７９ａを有する。ナット７９はその頭部のみが枠部７８上面に形成された透孔から突出しており、フランジ部７９ａによって外方への離脱が防がれるようになっている。また、枠部７８の側面を一部内方に折り曲げたツメ部７８ａによって、ナット７９の内方への離脱が防がれるようになっている。ナット７９には、ボルト８０が螺着され、これにより、建造物６１の壁面に取付部材７１が取り付けられるようになっている。
【００３１】
本発明に係るダクト支持用リング１の施工は、通常、次のように行われる。先ず、取付部材７１を建造物６１の壁面に取り付ける。次いで、取付部材７１をダクト支持用リング１の溝部５１に差込、固定する。そして、ダクト支持用リング１にダクトを取り付けて結合部４１にて固定する。建造物６１壁面への取付部材７１の位置に対し、結合部４１は離れた位置にあるため、結合部４１は建造物壁面から離れる位置となる（開放された空間に位置する）ので、その分作業空間が確保され、結合部４１における帯状支持片１１，２１の結合作業がし易い利点を有する。
【００３２】
【発明の効果】
以上説明したように、本発明に係るダクト支持用リングによれば、取付部材は、一の帯状支持片の回動部と結合部との中間域に設けた溝部に差込、固定され、また、ダクトは、一対の帯状支持片を他端の結合部において互いに結合することにより、支持、固定されるので、同時に２種の作業を強いられることがなく、確実かつ容易にダクトの施工が行なわれる。しかも、取付部材を溝部に差込、固定するため、作業がし易い。
【００３３】
また、結合部における帯状支持片の結合作業において、作業空間を確保することができるので、結合部における帯状支持片の結合作業がし易い利点を有する。
【図面の簡単な説明】
【図１】  本発明の実施の形態の一例であるダクト支持用リング１を示すもので、（ａ）は正面図、（ｂ）は右側面図である。
【図２】  帯状支持片１１，２１の回動部３１を例示する斜視図である。
【図３】  従来のダクト支持用リング１を示すもので、（ａ）は正面図、（ｂ）は側面図である。
【符号の説明】
１  ダクト支持用リング
１１  帯状支持片
１７  折曲端部
２１  帯状支持片
２７  折曲端部
３１  回動部
４１  結合部
４３  ボルト
４５  ボルト受け部（ナット）
４７  合成樹脂製弾性体
５１  溝部
５２  対向する面部
５３  対向する面部
７１  取付部材
７３  ボルト
【図１】
0004390893.tif 000002
【図２】
0004390893.tif 000003
【図３】
0004390893.tif 000004